(57)【要約】【課題】カバー部材が正しく閉じられなかった場合にも、燃料タンク内への浸水を防止可能な作業機械の燃料タンクキャップを提供する。【解決手段】作業機械の燃料タンクキャップ１１を、キャップ本体１２と、キャップ本体１２に設けられたキーシリンダーケース１３と、キーシリンダーケース１３内に設定されたキーシリンダー１４と、キーシリンダーケース１３の外面に旋回可能に取り付けられたキーシリンダー１４のカバー部材１５と、キーシリンダー１４とカバー部材１５との間を密封する防水用シール部材１６とをもって構成する。キーシリンダーケース１３の内面とキーシリンダー１４の外面との間に、防水用シール部材２１を設ける。【選択図】図１
2008030602.tif 000002
【特許請求の範囲】
【請求項１】
燃料タンクの燃料注入口に着脱可能に装着されるキャップ本体と、当該キャップ本体に設けられたキーシリンダーケースと、当該キーシリンダーケース内に設定されたキーシリンダーとを備えた作業機械の燃料タンクキャップにおいて、
前記キーシリンダーケースの内面と前記キーシリンダーの外面との間に防水用シール部材を設けたことを特徴とする作業機械の燃料タンクキャップ。
【請求項２】
前記防水用シール部材がオーリングであることを特徴とする請求項１に記載の作業機械の燃料タンクキャップ。
【請求項３】
前記キーシリンダーケースに、前記キーシリンダーを覆う開閉可能なカバー部材を備えたことを特徴とする請求項１に記載の作業機械の燃料タンクキャップ。
【発明の詳細な説明】
【技術分野】
【０００１】
本発明は、油圧ショベルなどの作業機械の燃料タンクキャップに係り、特に、燃料タンク内への浸水防止手段に関する。
【背景技術】
【０００２】
図４は、従来より知られている油圧ショベルの側面図であって、符号１は下部走行体、符号２は上部旋回体、符号３はブーム、符号４はアーム、符号５はバケット、符号６は運転室であるキャブ、符号７はカウンターウエイト、符号８はエンジンルーム、符号９は燃料タンクを示している。この図から明らかなように、油圧ショベルなどの作業機械においては、燃料タンク９が外部に露出した状態で設置されている。
【０００３】
燃料タンク９の天板９ａには、円筒状の燃料注入口１０が略垂直に設定されており、その開口部には、燃料タンク９からの燃料の揮発及び燃料タンク９内への異物の侵入を防止するための燃料タンクキャップ１１が着脱可能に取り付けられている。
【０００４】
燃料タンクキャップ１１は、図５に示すように、燃料注入口１０に着脱可能に装着されるキャップ本体１２と、キャップ本体１２に設けられたキーシリンダーケース１３と、キーシリンダーケース１３内に設定されたキーシリンダー１４と、キーシリンダーケース１３の外面に取り付けられたキーシリンダー１４のカバー部材１５と、キーシリンダー１４とカバー部材１５との間を密封する防水用シール部材１６とから構成されている。
【０００５】
カバー部材１５は、図６に示すように、裏面側に突設されたピン１５ａを中心としてキーシリンダーケース１３の外面に沿って旋回できるようになっており、カバー部材１５の中心とキーシリンダーケース１３の中心とがほぼ合致する位置までカバー部材１５を旋回することにより、キーシリンダーケース１３の内面とキーシリンダー１４の外面との間のクリアランスＡ（図４参照）をカバー部材１５にて遮蔽することができ、当該クリアランスＡから燃料タンク９内への浸水を防止することができる。また、ピン１５ａを中心としてキーシリンダー１４に設けられたキー差し込み口１４ａが露出する位置までカバー部材１５を旋回することにより、キー差し込み口１４ａへのキーの差し込み、キーシリンダー１４の解錠と施錠、及び燃料注入口１０からの燃料タンクキャップ１１の取り外しが可能になる。
【発明の開示】
【発明が解決しようとする課題】
【０００６】
前記従来構造の燃料タンクキャップ１１は、キーシリンダーケース１３にキーシリンダー１４を覆うためのカバー部材１５が備えられているので、キーシリンダーケース１３及びキーシリンダー１４に対してカバー部材１５が正しく閉じられていれば、キーシリンダーケース１３の内面とキーシリンダー１４の外面との間のクリアランスＡから燃料タンク９内への浸水を防止でき、燃料の劣化及び燃料タンク９の腐食を防止することができる。
【０００７】
しかしながら、カバー部材１５は手動で開閉しなくてはならないので、作業者がカバー部材１５を閉じ忘れたり、作業が面倒であるために故意にカバー部材１５を閉じなかった場合には、キーシリンダーケース１３の内面とキーシリンダー１４の外面との間のクリアランスＡから雨水や洗車時の洗浄水が燃料タンク９内に浸水し、燃料の劣化や燃料タンク９の腐食を防止することができない。
【０００８】
本発明は、かかる従来技術の不備を解決するためになされたものであり、その目的は、仮にカバー部材が正しく閉じられなかった場合にも、燃料タンク内への浸水を防止可能な作業機械の燃料タンクキャップを提供することにある。
【課題を解決するための手段】
【０００９】
本発明は、前記課題を解決するため、第１に、燃料タンクの燃料注入口に着脱可能に装着されるキャップ本体と、当該キャップ本体に設けられたキーシリンダーケースと、当該キーシリンダーケース内に設定されたキーシリンダーとを備えた作業機械の燃料タンクキャップにおいて、前記キーシリンダーケースの内面と前記キーシリンダーの外面との間に防水用シール部材を設けるという構成にした。
【００１０】
かかる構成によると、仮にカバー部材が正しく閉じられなかった場合にも、キーシリンダーケースの内面とキーシリンダーの外面との間に設けられた防水用シール部材によって燃料タンク内への浸水が防止されるので、燃料の劣化及び燃料タンクの腐食を防止することができる。
【００１１】
また、本発明は第２に、前記第１の構成の燃料タンクキャップにおいて、前記防水用シール部材がオーリング（Ｏ−ｒｉｎｇ）であるという構成にした。
【００１２】
オーリング（Ｏ−ｒｉｎｇ）は汎用品であり、必要なサイズを容易に入手できるので、防水用シール部材を備えた燃料タンクキャップを安価に実施できる。
【００１３】
また、本発明は第３に、前記第１の構成の燃料タンクキャップにおいて、前記キーシリンダーケースに、前記キーシリンダーを覆う開閉可能なカバー部材を備えるという構成にした。
【００１４】
かかる構成によると、従来の燃料タンクキャップをそっくり利用することができるので、防水用シール部材を備えた燃料タンクキャップを安価に実施できる。また、カバー部材によりキーシリンダーケースの内面とキーシリンダーの外面との間のクリアランスへの浸水をより確実に防止できるので、燃料タンクキャップの防水性をより一層高めることができる。
【発明の効果】
【００１５】
本発明によると、キーシリンダーケースの内面とキーシリンダーの外面との間に防水用シール部材を設けるので、仮にカバー部材が正しく閉じられなかった場合にも、キーシリンダーケースの内面とキーシリンダーの外面との間からの燃料タンク内への浸水が防止され、燃料の劣化及び燃料タンクの腐食を防止できる。
【発明を実施するための最良の形態】
【００１６】
以下、本発明に係る作業機械の燃料タンクキャップの実施形態を図１乃至図３に基づいて説明する。図１は実施形態に係る燃料タンクキャップの断面図、図２は図１のＢ部拡大断面図、図３は実施形態に係る防水用シール部材の斜視図である。
【００１７】
図１に示すように、本例の作業機械の燃料タンクキャップ１１は、全体的な構成については図５及び図６に示した従来例に係る作業機械の燃料タンクキャップと同じであり、キャップ本体１２と、キャップ本体１２に設けられたキーシリンダーケース１３と、キーシリンダーケース１３内に設定されたキーシリンダー１４と、キーシリンダーケース１３の外面に旋回可能に取り付けられたキーシリンダー１４のカバー部材１５と、キーシリンダー１４とカバー部材１５との間を密封する防水用シール部材１６とを有している。
【００１８】
本例の燃料タンクキャップ１１が従来例に係る燃料タンクキャップと異なる点は、キーシリンダーケース１３の内面とキーシリンダー１４の外面との間に、防水用シール部材２１を設けたことにある。防水用シール部材２１としては、図３に示すオーリング（Ｏ−ｒｉｎｇ）や、オーリング以外のリング状のゴム状弾性体などを用いることができる。オーリングは汎用品であり、必要なサイズを容易に入手できるので、防水用シール部材を備えた燃料タンクキャップを安価に実施する上で特に好適である。防水用シール部材２１は、図１及び図２に示すように、キーシリンダーケース１３の内面に形成されたシール収納凹部２２内に収納される。これにより、防水用シール部材２１を安定に保持することができ、キーシリンダーケース１３の内面とキーシリンダー１４の外面との間のクリアランスＡへの浸水を防止できる。なお、防水用シール部材２１の設定位置は、キーシリンダーケース１３の内面の範囲内であれば特に制限はないが、防水用シール部材２１の設定作業が容易であること、及びクリアランスＡ内に水が溜まらず、防水用シール部材２１の耐用命数を延長できることから、なるべく外側（カバー部材１５側）に近い位置に設定される。
【００１９】
本例の作業機械の燃料タンクキャップ１１は、キーシリンダーケース１３の内面とキーシリンダー１４の外面との間にオーリングなどの防水用シール部材２１を設けるので、仮にカバー部材１５が正しく閉じられなかった場合にも、クリアランスＡから燃料タンク内への浸水が防止され、燃料の劣化及び燃料タンクの腐食を防止できる。また、キーシリンダーケース１３にカバー部材１５を備えるので、カバー部材１５を操作してクリアランスＡを閉じることにより、、クリアランスＡから燃料タンク内への浸水をより確実に防止することができる。
【図面の簡単な説明】
【００２０】
【図１】実施形態に係る燃料タンクキャップの断面図である。
【図２】図１のＢ部拡大断面図である。
【図３】実施形態に係る防水用シール部材の斜視図である。
【図４】油圧ショベルの構成図である。
【図５】従来例に係る燃料タンクキャップの断面図である。
【図６】従来例に係る燃料タンクキャップの外面図である。
【符号の説明】
【００２１】
１１    燃料タンクキャップ
１２    キャップ本体
１３    キーシリンダーケース
１４    キーシリンダー
１５    カバー部材
１６    防水用シール部材
２１    防水用シール部材
２２    シール収納凹部
Ａ    クリアランス
【図１】
2008030602.tif 000003
【図２】
2008030602.tif 000004
【図３】
2008030602.tif 000005
【図４】
2008030602.tif 000006
【図５】
2008030602.tif 000007
【図６】
2008030602.tif 000008